(57)【要約】【課題】低出力の吸引手段でも排出対象物が詰まり難いようにする。【解決手段】吸引によって排出自在な多数の排出対象物１が載置される載置部５と、載置部５の上にある排出対象物１を載置部５に形成した吸引口６から下方へ吸引して載置部５より高い位置の排出口８に排出する吸引手段４とを設け、吸引口６から排出口８にわたる吸引流路３の内、高さの最も低い範囲に水平流路３Ｂを配置してある。【選択図】図１
2010083652.tif 000002
【特許請求の範囲】
【請求項１】
吸引によって排出自在な多数の排出対象物が載置される載置部と、
前記載置部の上にある前記排出対象物を前記載置部に形成した吸引口から下方へ吸引して前記載置部より高い位置の排出口に排出する吸引手段とを設け、
前記吸引口から前記排出口にわたる吸引流路の内、高さの最も低い範囲に水平流路を配置してある排出装置。
【請求項２】
前記吸引手段は、エジェクタであり、前記水平流路の前記吸引口側に接続されている下り勾配の傾斜流路に、前記エジェクタが介在させてある請求項１に記載の排出装置。
【請求項３】
前記吸引口の縁部は、前記載置部の上面より上方に突出させてある請求項１又は２に記載の排出装置。
【発明の詳細な説明】
【技術分野】
【０００１】
本発明は、吸引によって排出自在な多数の排出対象物が載置される載置部と、前記載置部の上にある前記排出対象物を前記載置部に形成した吸引口から下方へ吸引して前記載置部より高い位置の排出口に排出する吸引手段とを設けてある排出装置に関する。
【背景技術】
【０００２】
従来、この種の排出装置としては、例えば、図３に示すような、切削屑（排出対象物の一例）１を飛ばすのに使用できるプロペラ２のデモンストレーション装置Ｄに組み込んだものがある。
デモンストレーション装置Ｄは、上下の中間部に、透視可能なプロペラ室Ｄ２を設け、そのプロペラ室Ｄ２内に、デモンストレーション用の切削屑１を散乱させておき、前記プロペラ２の回転駆動に伴って切削屑１がプロペラ室Ｄ２内で飛散する状況を外部から見せ、プロペラ２の吹き飛ばし作用をアピールするデモンストレーション運転を行えるように形成されている。
前記プロペラ室Ｄ２の下方の第一機械室Ｄ１には、プロペラ２の駆動に伴って飛散する切削屑１を吸引する吸引流路３と吸引手段４とを設けてある。
一方、前記吸引流路３は、第一機械室Ｄ１からデモンストレーション装置Ｄの背面側を迂回して上方に向かい、プロペラ室Ｄ２の上方の第二機械室Ｄ３の側方を経由して、前記プロペラ室Ｄ２に開口する状態に設けられている。
従って、吸引流路３は、前記プロペラ室Ｄ２と第一機械室Ｄ１との隔壁（載置部の一例）５に形成した吸引口６から、装置本体の背面を経由して、プロペラ室Ｄ２と第二機械室Ｄ３との隔壁７に形成した排出口８にわたって設けられている。
また、吸引流路３の中間部には、吸引口６から吸引した切削屑１を一時的に堰き止める堰き止め手段９が形成してある。上述のデモンストレーション運転時に、この堰き止め手段９を作動させることで、切削屑１が前記排出口８から再入場するのを一時的に停止し、プロペラ２による吹き飛ばし効果で切削屑１がプロペラ室Ｄ２から消えたという状況を再現できる。更には、デモンストレーション運転後に、堰き止め手段９を停止して、堰き止められた切削屑１を吸引流路３に流すことで、次のデモンストレーション運転時に使用する切削屑１を、前記排出口８からプロペラ室Ｄ２に排出して、運転準備を簡単に速やかに行える。
因みに、このデモンストレーション装置の例においては、排出装置ｈは、前記隔壁５と、吸引流路３と吸引手段４とを備えて構成されている。
また、吸引流路３は、図３に示すように、前記隔壁５の表面に突出しない状態に形成された吸引口６から、下方に垂下し、「Ｕ」字形状に屈曲させて上方に向かう形状に形成してあった。また、吸引手段４は、前記隔壁５から垂下した吸引流路３の垂下部分に設けてあった。
尚、この様な従来技術に関しては、当業者の間で広く知られているものであるが、該当する排出装置に関して詳しく言及した特許文献などは見あたらないので、先行技術文献は示していない。
【発明の開示】
【発明が解決しようとする課題】
【０００３】
上述した従来の排出装置によれば、例えば、デモンストレーションの終了等によって吸引手段の運転を停止すると、その時、吸引流路内に位置している切削屑は、流路の最も低い個所である「Ｕ」字屈曲部に落下して沈積する。
沈積した切削屑は、そのものの重量で締まり易く、運転再会時に流路内の流動抵抗になる危険性がある。
また、切削屑の沈積部分の流路形状が、１８０度折り返す「Ｕ」字屈曲形状であるから、損失抵抗が大きい。
即ち、切削屑が流路内に詰まり易い。
その結果、吸引手段への負荷が大きくなり易く、この悪条件を克服するためには、大出力の吸引手段を使用しなければならなくなり、装置の大型化や、コストアップにつながる問題点がある。
【０００４】
従って、本発明の目的は、上記問題点を解消し、低出力の吸引手段でも排出対象物が詰まり難い排出装置を提供するところにある。
【課題を解決するための手段】
【０００５】
本発明の第１の特徴構成は、吸引によって排出自在な多数の排出対象物が載置される載置部と、前記載置部の上にある前記排出対象物を前記載置部に形成した吸引口から下方へ吸引して前記載置部より高い位置の排出口に排出する吸引手段とを設け、前記吸引口から前記排出口にわたる吸引流路の内、高さの最も低い範囲に水平流路を配置してあるところにある。
【０００６】
本発明の第１の特徴構成によれば、前記吸引口から前記排出口にわたる吸引流路の内、高さの最も低い範囲に水平流路を配置してあるから、吸引手段の運転を停止した時でも、吸引流路内に位置している排出対象物が、従来のようには、「Ｕ」字屈曲部の局部に集中して集まることがなくなり、排出対象物を、前記水平流路の長手方向に分散させることが可能となる。
よって、従来のように、排出対象物が締まることで排出対象物と流路内周壁とが強く接当する現象を緩和でき、吸引運転の再会時に、排出対象物と流路周壁との摩擦抵抗を最小限に留めて、排出させ易くなる。
また、流路そのものに、急曲部が無くなれば、流路内を流れる排出対象物の損失抵抗が小さくなり、より排出させ易くなる。
以上の結果、排出対象物が吸引流路に詰まり難くなり、低出力の吸引手段でも、効率よく排出対象物を吸引搬送することが可能となる。それに伴って、装置全体とした小型化を図ったり、コストダウンを図ることができる。
【０００７】
本発明の第２の特徴構成は、前記吸引手段は、エジェクタであり、前記水平流路の前記吸引口側に接続されている下り勾配の傾斜流路に、前記エジェクタが介在させてあるところにある。
【０００８】
本発明の第２の特徴構成によれば、前記吸引手段が、エジェクタであるから、簡単な構造で且つ小型・軽量化を図ることができるから、吸引装置全体とした小型・軽量化をも図ることができる。
また、前記水平流路の前記吸引口側に接続されている下り勾配の傾斜流路に、前記エジェクタが介在させてあるから、傾斜流路の下り勾配で排出対象物に作用する自然落下力に加えて、吸引手段による搬送力を、最もロスの少ない状態で排出対象物に作用させることができる。
従って、効率よく、排出対象物を搬送できることに加えて、吸引手段の停止時においても、傾斜流路から水平流路にかけて強力に排出対象物を送り込むことで、水平流路での排出対象物の分散を、より広い範囲にわたって分布させることができる。排出対象物が広範囲に分散すれば、運転再会時に、吸引手段に対する負荷を低くでき、吸引手段や装置全体とした小型化や軽量化を更に図ることができる。
【０００９】
本発明の第３の特徴構成は、前記吸引口の縁部は、前記載置部の上面より上方に突出させてあるところにある。
【００１０】
本発明の第３の特徴構成によれば、載置部上に位置する排出対象物のすべてを吸引口から吸引流路内に吸い込むのではなく、分別することが可能となる。
例えば、多数の排出対象物の内、比較的重いものは、載置部上に沿って位置するから、前記突出部によって堰き止められて、吸引口に吸い込まれ難くなる。その結果、比較的重いものは、載置部上に残しながら、比較的軽いものだけを吸引排出することが可能となる。
【発明を実施するための最良の形態】
【００１１】
以下に本発明の実施の形態を図面に基づいて説明する。尚、図面において従来例と同一の符号で表示した部分は、同一又は相当の部分を示している。
【００１２】
図１、図２は、本発明の排出装置Ｈの一実施形態品を組み込んだデモンストレーション装置Ｄを示すものである。
前記デモンストレーション装置Ｄは、切削屑（排出対象物の一例）１を吹き飛ばすのに使用できるプロペラ２のデモンストレーションを行うもので、プロペラ２による切削屑１の除去効果を見せることができるように構成されている。
【００１３】
前記デモンストレーション装置Ｄは、上下に連設された三つの部屋を備えて構成されており、各部屋は、下から上への順で第一機械室Ｄ１、プロペラ室Ｄ２、第二機械室Ｄ３と言う。
【００１４】
前記プロペラ室Ｄ２は、外部から内部を透視可能に形成してあり、例えば、透明の合成樹脂板によって外周部が覆われている。
また、内部空間には、前記プロペラ２が設置してあり、装置の外部から、前記プロペラ２が切削屑１を吹き飛ばしている状況を確認できるように構成されている。
因みに、プロペラ２の駆動装置は、前記第二機械室Ｄ３に設けられている。
【００１５】
前記第一機械室Ｄ１には、プロペラ２の駆動に伴ってプロペラ室Ｄ２内を飛散する前記切削屑１を吸引する吸引流路３と吸引手段４とが設けてある。
また、前記吸引流路３は、第一機械室Ｄ１からデモンストレーション装置Ｄの背面側を迂回して上方に向かい、前記第二機械室Ｄ３の側方を経由して、前記プロペラ室Ｄ２に開口する状態に設けられている。
従って、吸引流路３は、前記プロペラ室Ｄ２と第一機械室Ｄ１との間の隔壁（載置部の一例）５に形成した吸引口６から、第一機械室Ｄ１、装置本体の背面、第二機械室Ｄ３側方を経由して、プロペラ室Ｄ２と第二機械室Ｄ３との間の隔壁７に形成した排出口８にわたって設けられている。
また、吸引流路３の中間部には、吸引口６から吸引した切削屑１を一時的に堰き止める堰き止め手段９が形成してある。上述のデモンストレーション運転時に、この堰き止め手段９を作動させることで、吸引口６から吸引流路３に吸い込まれた切削屑１が、前記排出口８からプロペラ室Ｄ２に再入場するのを一時的に停止し、プロペラ２による吹き飛ばし効果で切削屑１があたかもプロペラ室Ｄ２から消えたという状況を再現できる（図２参照）。
一方、堰き止め手段９の堰き止め作動を解除して、堰き止められた切削屑１を吸引流路３に流すことで、次のデモンストレーション運転時に使用する切削屑１を、前記排出口８からプロペラ室Ｄ２に戻すことができ、次のデモンストレーション運転の運転準備を簡単に速やかに行える。
【００１６】
次に、吸引流路３について、更に詳しく説明する。
前記吸引口６から第一機械室Ｄ１に入った吸引流路３は、図２に示すように、第一機械室Ｄ１の底部分に向けてなだらかに下り、第一機械室Ｄ１の底面に沿って上面視での円形に配設されている。上述のなだらかに下っている流路部分を、傾斜流路３Ａといい、第一機械室Ｄ１の底面に沿っている流路部分を水平流路３Ｂという。
前記傾斜流路３Ａの中間部には、前記吸引手段４に相当するエジェクタＥが取り付けてあり、外部からのエヤー供給による負圧を利用して吸引流路３の空気の流れを作りだしている。
因みに、前記水平流路３Ｂは、吸引流路３の全域を通じて最も低い位置にある。
従って、前記エジャクタＥの運転を停止した時、吸引流路３内にある切削屑１は、流路内を落下して、前記水平流路３Ｂに溜まる。その際、傾斜流路３Ａ内の切削屑１は、それまで前記エジェクタＥから受けていた搬送力と、流路の勾配との影響で、下流側の水平流路３Ｂの全域にわたって広く分散する状態に落下し易い。よって、流路詰まりを未然に防止し易い。
また、流路そのものに急曲部が無いので、吸引搬送に伴う流路の損失抵抗が小さくなり、プロペラ室Ｄ２からスムースに切削屑１の排出を行うことができる。
【００１７】
前記吸引口６の構造について説明する。
図に示すように、前記吸引口６の縁部は、前記隔壁５の上面より上方に突出させてある。
この吸引口６の突出部６ａによって、隔壁５上に位置する切削屑１のすべてを吸引口６から吸引流路内に吸い込むのではなく、分別することが可能となる。
即ち、多数の切削屑１の内、比較的重いものは、隔壁５上に沿って位置するから、前記突出部６ａによって堰き止められて、吸引口６に吸い込まれ難くなる。その結果、比較的重いものは、隔壁５上に残しながら、比較的軽いものだけを吸引排出することが可能となる。
【００１８】
当該実施形態の排出装置Ｈによれば、切削屑１が吸引流路３に詰まり難くなり、低出力の吸引手段４でも、効率よく切削屑１を吸引搬送することが可能となる。それに伴って、装置全体とした小型化を図ったり、コストダウンを図ることができる。
【００１９】
〔別実施形態〕
以下に他の実施の形態を説明する。
【００２０】
〈１〉  当該排出装置Ｈは、先の実施形態で説明したデモンストレーション装置に組み込んで使用するものに限るものではなく、例えば、他の装置に組み込んで使用するものであったり、排出装置として単独で使用するものであってもよい。
〈２〉  前記排出対象物１は、先の実施形態で説明した切削屑に限るものではなく、吸引流路を通して排出可能なものであればよく、それらを含めて排出対象物と総称する。
〈３〉  前記吸引手段４は、先の実施形態で説明したエジェクタＥに限るものではなく、例えば、吸引ポンプや吸引ファン等、他の吸引手段であってもよく、それらを総称して吸引手段という。
〈４〉  前記吸引流路３は、先の実施形態で説明した線形や配置に限るものではなく、適宜変更が可能である。また、吸引口６に突出部６ａを必ず設けることに限らず、吸引口６の縁部を、前記隔壁５の表面と面一に形成してあってもよい。
また、突出部６ａを設ける場合でも、その突出量を、例えば、ネジ機構等の突出量変更手段によって変更できるように構成してもよい。突出量変更手段を設ければ、分別する排出対象物の種類を変更することが可能となる。
【００２１】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【図面の簡単な説明】
【００２２】
【図１】デモンストレーション装置を示す斜視図
【図２】デモンストレーション装置を示す斜視図
【図３】従来のデモンストレーション装置を示す斜視図
【符号の説明】
【００２３】
１      切削屑（排出対象物の一例）
３      吸引流路
３Ａ    傾斜流路
３Ｂ    水平流路
４      吸引手段
５      隔壁（載置部の一例）
６      吸引口
８      排出口
Ｅ      エジェクタ
【図１】
2010083652.tif 000003
【図２】
2010083652.tif 000004
【図３】
2010083652.tif 000005